(57)【要約】      （修正有）【課題】検出精度が低下してしまう可能性を低減することができる入力装置、表示装置、および電子機器を提供する。【解決手段】入力装置Ｘ１は、基体２と、基体２上に設けられた第１検出電極３ａと、基体２上に設けられた第１遮光層６と、第１遮光層６上に設けられており、第１検出電極３ａと電気的に接続された検出用配線８と、第１遮光層６上に設けられており、検出用配線８とは離間して位置する導電層９と、を備え、第１遮光層６は、平面視して検出用配線８と導電層９との間に位置する部位において、開口部６ａが設けられている。【選択図】図４
2014191359.tif 000002
【特許請求の範囲】
【請求項１】
基体と、
該基体上に設けられた検出電極と、
前記基体上に設けられた第１遮光層と、
該第１遮光層上に設けられており、前記検出電極と電気的に接続された検出用配線と、
前記第１遮光層上に設けられており、前記検出用配線とは離間して位置する導電層と、を備え、
前記第１遮光層は、平面視して前記検出用配線と前記導電層との間に位置する部位において、開口部が設けられている、入力装置。
【請求項２】
前記導電層は、前記検出用配線を挟んで前記検出電極の反対側に位置する、請求項１に記載の入力装置。
【請求項３】
前記検出用配線は、複数設けられており、
前記開口部は、平面視して前記導電層と該導電層に最も近い側に位置する前記検出用配線との間に位置する、請求項１または２に記載の入力装置。
【請求項４】
前記導電層と該導電層に最も近い側に位置する前記検出用配線との離間距離は、互いに隣り合う前記検出用配線同士の離間距離よりも大きい、請求項３に記載の入力装置。
【請求項５】
前記開口部は、平面視して互いに隣り合う前記検出用配線の間にも位置している、請求項３または４に記載の入力装置。
【請求項６】
前記基体は、第１主面および該第１主面の反対側に位置する第２主面を有しており、
前記第１主面上に設けられた加飾層をさらに備え、
前記第１遮光層、前記検出電極、前記検出用配線、および前記導電層は、前記第２主面上に設けられており、
前記加飾層は、平面視して前記開口部と重なっている、請求項１〜５のいずれか一項に記載の入力装置。
【請求項７】
前記検出用配線上および前記導電層上に位置しており、平面視して前記開口部と重なっている第２遮光層をさらに備え、
前記第２遮光層と前記検出用配線との離間距離は、前記第１遮光層と前記検出用配線との離間距離よりも大きい、請求項１〜６のいずれか一項に記載の入力装置。
【請求項８】
前記導電層は、基準電位に設定されている、請求項１〜７のいずれか一項に記載の入力装置。
【請求項９】
前記第１遮光層は、導電性を有する着色材料を含む、請求項１〜８のいずれか一項に記載の入力装置。
【請求項１０】
前記検出電極は、入力領域に位置しており、
前記遮光層、前記検出用配線、および前記導電層は、前記入力領域の外側に位置する非入力領域に位置しており、
前記導電層は、前記入力領域を取り囲むように位置している、請求項１〜９のいずれか一項に記載の入力装置。
【請求項１１】
前記導電層は、前記検出用配線を取り囲むように位置している、請求項１０に記載の入力装置。
【請求項１２】
請求項１〜１１に記載の入力装置と、
該入力装置に対向して配置された表示パネルと、を備えた表示装置。
【請求項１３】
請求項１２に記載の表示装置と、
該表示装置が収容された筐体と、を備えた電子機器。
【発明の詳細な説明】
【技術分野】
【０００１】
本発明は、入力装置、表示装置、および電子機器に関する。
【背景技術】
【０００２】
従来から、指と検出電極との間における静電容量の変化を捉えて入力位置を検出する入力装置が知られている。このような入力装置は、基体上に検出電極および遮光層が設けられている。また、遮光層上に検出用配線が設けられており、当該検出用配線と検出電極とが電気的に接続されている（例えば、特許文献１参照）。また、遮光層上には、例えば、電気的ノイズから検出用配線を保護する目的で、導電層が設けられている。当該導電層は、検出用配線とは離間して位置する。
【先行技術文献】
【特許文献】
【０００３】
【特許文献１】特開２０１１−９０４４３号公報
【発明の概要】
【発明が解決しようとする課題】
【０００４】
しかしながら、上記の入力装置では、遮光層上に検出用配線および導電層が設けられているため、検出精度が低下してしまう可能性があった。すなわち、遮光層は、例えば、導電性を有する着色材料を含んでおり、当該遮光層を介して、検出用配線と導電層との間にインピーダンスが生じる可能性があるからである。
【０００５】
本発明は、このような事情を鑑みてなされたものであり、その目的は、検出精度が低下してしまう可能性を低減することができる入力装置、表示装置、および電子機器に関する。
【課題を解決するための手段】
【０００６】
本発明の入力装置における一態様は、基体と、該基体上に設けられた検出電極と、前記基体上に設けられた第１遮光層と、該第１遮光層上に設けられており、前記検出電極と電気的に接続された検出用配線と、前記第１遮光層上に設けられており、前記検出用配線とは離間して位置する導電層と、を備え、前記第１遮光層は、平面視して前記検出用配線と前記導電層との間に位置する部位において、開口部が設けられている。
【０００７】
本発明の表示装置における一態様は、本発明に係る入力装置と、該入力装置に対向して配置された表示パネルと、を備える。
【０００８】
本発明の電子機器における一態様は、本発明に係る表示装置と、該表示装置が収容された筐体と、を備える。
【発明の効果】
【０００９】
本発明の入力装置、表示装置、および電子機器は、検出精度が低下してしまう可能性を低減することができる、という効果を奏する。
【図面の簡単な説明】
【００１０】
【図１】本実施形態に係る入力装置の概略構成を示す平面図である。
【図２】図１中に示したＩ−Ｉ線断面図である。
【図３】図１中に示したＩＩ−ＩＩ線断面図である。
【図４】図１中に示したＩＩＩ−ＩＩＩ線断面図である。
【図５】図１中に示した１点鎖線で囲んだ領域Ａ１を拡大した平面図である。
【図６】本実施形態に係る表示装置の概略構成を示す断面図である。
【図７】本実施形態に係る携帯端末の概略構成を示す斜視図である。
【図８】変形例１に係る入力装置の概略構成を示す平面図である。
【図９】図８中に示したＩＶ−ＩＶ線断面図である。
【図１０】図８中に示した１点鎖線で囲んだ領域Ａ２を拡大した平面図である。
【図１１】変形例２に係る入力装置の概略構成を示す平面図である。
【図１２】図１１中に示したＶ−Ｖ線断面図である。
【図１３】図１１中に示した１点鎖線で囲んだ領域Ａ３を拡大した平面図である。
【図１４】変形例３に係る入力装置の概略構成を示す平面図である。
【図１５】図１４中に示したＶＩ−ＶＩ線断面図である。
【図１６】図１４中に示した１点鎖線で囲んだ領域Ａ４を拡大した平面図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力装置、表示装置、および電子機器は、本明細書が参照する各図に示されていない任意の構成部材を備え得る。
【００１３】
図１〜図３に示すように、本実施形態に係る入力装置Ｘ１は、投影型の静電容量方式タッチパネルであって、入力領域Ｅ１および非入力領域Ｅ２を有している。入力領域Ｅ１は、使用者が入力操作を行うことができる領域である。非入力領域Ｅ２は、使用者が入力操作を行うことができない領域である。本実施形態に係る非入力領域Ｅ２は、入力領域Ｅ１を取り囲むように当該入力領域Ｅ１の外側に位置しているが、これに限らない。非入力領域Ｅ２は、例えば、入力領域Ｅ１に取り囲まれるように位置していてもよい。
【００１４】
なお、本実施形態に係る入力装置Ｘ１は、カバーガラス一体型の静電容量方式のタッチパネルであるが、これに限らず、積層型、オン・セル型、あるいはイン・セル型の静電容量方式のタッチパネルであってもよい。
【００１５】
入力装置Ｘ１は、基体２、第１検出電極パターン３、第２検出電極パターン４、絶縁体５、第１遮光層６、第１被覆層７、検出用配線８、導電層９、第２被覆層１０、第１保護層１１、および第２保護層１２を備える。
【００１６】
まず、図１〜図３を参照しながら、基体２、第１検出電極パターン３、第２検出電極パターン４、および絶縁体５について説明する。なお、図１では、説明の便宜上、絶縁体５の図示は省略する。
【００１７】
基体２は、入力装置Ｘ１が備える全ての部材を支持する役割を有する。基体２は、第１主面２Ａおよび第２主面２Ｂを有する。第１主面２Ａは、第２主面２Ｂよりも使用者側に位置している。第２主面２Ｂは、第１主面２Ａの反対側に位置している。なお、本実施形態では、基体２は、平面視して、略矩形状であるが、これに限らず、楕円形状あるいは多角形状であってもよい。
【００１８】
基体２は、絶縁性を有する。また、基体２は、基体２の第１主面２Ａおよび第２主面２Ｂに交差する方向に入射する光に対して透光性を有する。ここで、本明細書において「透光性」とは、可視光の一部または全部を透過する性質を意味する。本実施形態では、基体
２の構成材料は、ガラスである。ガラスとしては、強度向上のため、イオン交換によって化学強化されたガラスを用いることが好ましい。なお、基体２を化学強化した場合、化学強化した層も基体２に含まれると解することができる。また、基体２の構成材料は、ガラスに限らず、例えば、プラスチック等であってもよい。
【００１９】
第１検出電極パターン３は、入力領域Ｅ１に対応する基体２の第１主面２Ａに接近した使用者の指Ｆ１との間において静電容量を発生し、Ｙ方向における入力位置を検出する役割を有する。第１検出電極パターン３は、入力領域Ｅ１に対応する基体２の第２主面２Ｂ上に、Ｙ方向に並んで複数設けられている。また、第１検出電極パターン３は、第１検出電極３ａおよび第１電極間配線３ｂを有する。
【００２０】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、互いに隣り合う第１検出電極３ａの間に設けられている。
【００２１】
第２検出電極パターン４は、入力領域Ｅ１に対応する基体２の第１主面２Ａに接近した使用者の指Ｆ１との間において静電容量を発生し、Ｘ方向における入力位置を検出する役割を有する。第２検出電極パターン４は、入力領域Ｅ１に対応する基体２の第２主面２Ｂ上に、Ｘ方向に並んで複数設けられている。また、第２検出電極パターン４は、第２検出電極４ａおよび第２電極間配線４ｂを有する。
【００２２】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、互いに隣り合う第２検出電極４ａの間において、第１電極間配線３ｂと電気的に絶縁するように、絶縁体５を跨いで当該絶縁体５上に設けられている。ここで、絶縁体５は、第１電極間配線３ｂを覆うように基体２の第２主面２Ｂ上に設けられている。絶縁体５の構成材料としては、例えば、アクリル樹脂、エポキシ樹脂、シリコーン樹脂、二酸化ケイ素、あるいは窒化珪素等の透明樹脂が挙げられる。
【００２３】
上述の第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＺＯ（Al-Doped Zinc Oxide）、酸化錫、酸化亜鉛、あるいは導電性高分子が挙げられる。
【００２４】
第１検出電極パターン３および第２検出電極パターン４の形成方法としては、例えば、上述の材料をスパッタリング法、蒸着法、あるいはＣＶＤ（Chemical Vapor Deposition）法によって基体２の第２主面２Ｂ上に成膜する。そして、この膜の表面に感光性樹脂を塗布し、露光、現像、エッチング工程を経て、膜がパターニングされることで、第１検出電極パターン３および第２検出電極パターン４が形成される。
【００２５】
次に、図１〜図３に加えて、図４および図５を参照しながら、第１遮光層６、第１被覆層７、検出用配線８、導電層９、第２被覆層１０、第１保護層１１、および第２保護層１２について説明する。
【００２６】
第１遮光層６は、入力装置Ｘ１の非入力領域Ｅ２を遮光する役割を有する。このため、第１遮光層６は、遮光性を有する。なお、本明細書において「遮光性」とは、入射した光の一部または全部を遮蔽する性質を指す。第１遮光層６は、非入力領域Ｅ２に対応する基体２の第２主面２Ｂ上に設けられている。また、第１遮光層６は、開口部６ａを有してい
る。本実施形態では、開口部６ａは、導電層９に沿って設けられている。このため、開口部６ａは、平面視して入力領域Ｅ１および検出用配線８を取り囲むように位置している。
【００２７】
第１遮光層６の構成材料としては、樹脂材料に着色材料を含んだものが挙げられる。樹脂材料としては、例えば、アクリル系樹脂、エポキシ系樹脂、あるいはシリコーン系樹脂が挙げられる。着色材料としては、例えば、カーボン、チタン、あるいはクロムが挙げられる。遮光層６の形成方法としては、例えば、スクリーン印刷法、スパッタリング法、ＣＶＤ法、あるいは蒸着法が挙げられる。
【００２８】
第１被覆層７は、第１遮光層６を保護する役割を有する。ここで、第１遮光層６を保護する役割としては、例えば、第１遮光層６を水分の吸湿による腐食から保護する役割、あるいは、第１遮光層６の材質が変質してしまう可能性を低減する役割が挙げられる。第１被覆層７は、非入力領域Ｅ２に対応する基体２の第２主面２Ｂ上に設けられている。また、第１被覆層７は、第１遮光層６を被覆している。
【００２９】
第１被覆層７の構成材料としては、例えば、アクリル系樹脂、シリコーン系樹脂、ゴム系樹脂、あるいはウレタン系樹脂が挙げられる。第１被覆層７の形成方法としては、例えば、転写印刷法、スピンコート法、あるいはスリットコート法が挙げられる。
【００３０】
検出用配線８は、第１検出電極パターン３および第２検出電極パターン４と指Ｆ１との間において発生した静電容量の変化を検出する役割を有する。検出用配線８は、第１遮光層６上に設けられている。具体的には、検出用配線８は、被覆層７上に設けられている。検出用配線８は、複数設けられており、一方の群と他方の群とに分けられる。一方の群に含まれる検出用配線８は、一端が第１検出電極パターン３に接続され、他端が外部導通領域Ｇ１に位置している。また、他方の群に含まれる検出用配線８は、一端が第２検出電極パターン４に電気的に接続され、他端が外部導通領域Ｇ１に位置している。外部導通領域Ｇ１に位置する検出用配線８の他端は、例えば、図示しないフレキシブルプリント配線基板を介して、図示しない位置検出ドライバと電気的に接続される。
【００３１】
検出用配線８は、硬質で高い形状安定性を得るべく、金属薄膜で形成される。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。金属薄膜の形成方法としては、例えば、スパッタリング法、ＣＶＤ法、あるいは蒸着法が挙げられる。
【００３２】
導電層９は、例えば、静電気の影響によって入力装置Ｘ１に誤動作が生じる役割を有する。導電層９は、第１遮光層６上に設けられている。具体的には、導電層９は、第１被覆層７上に設けられている。また、導電層９は、検出用配線８とは離間して位置している。具体的には、本実施形態では、導電層９は、平面視して入力領域Ｅ１および検出用配線８を取り囲むように位置している。なお、導電層９の平面視形状および配置位置は、任意であり、入力装置Ｘ１の実施態様に合わせて適宜変更することができる。導電層９の構成材料および形成方法としては、検出用配線８と同様のものが挙げられる。
【００３３】
ここで、図４および図５に示すように、開口部６ａは、第１遮光層６のうち平面視して検出用配線８と導電層９との間に位置する部位に設けられている。このため、入力装置Ｘ１の検出精度が低下してしまう可能性を低減することができる。
【００３４】
具体的には、第１遮光層は、非入力領域を遮光する目的で、着色材料を含んでいる。ここで、当該着色材料は、僅かであっても導電性を有する可能性がある。第１遮光層が導電性を有すると、当該第１遮光層上に位置する検出用配線と導電層との間には、第１遮光層
を介してインピーダンスが生じる可能性があった。ここで、入力装置では、例えば、第２検出電極パターンに所定の電圧を印加することで、第１検出電極パターンから出力された電流値を計測することによって、使用者における入力操作位置を検出する。このような場合に、検出用配線と導電層との間にインピーダンスが生じると、当該電流値を正確に計測することができず、検出精度が低下してしまう可能性があった。特に、検出用配線と導電層との間には、電位差が生じる可能性が高く、当該電位差によって、上記のインピーダンスは生じやすかった。
【００３５】
そこで、入力装置Ｘ１では、第１遮光層６は、平面視して検出用配線８と導電層９との間に位置する部位において、開口部６ａが設けられている。このため、第１遮光層６を介して検出用配線８と導電層９との間にインピーダンスが生じる可能性を低減することができる。そのため、第１遮光層６の影響によって入力装置Ｘ１の検出精度が低下してしまう可能性を低減することができる。
【００３６】
なお、本実施形態のように、開口部６ａは、平面視して導電層９と当該導電層９に最も近い側に位置する検出用配線８との間の領域Ｇ２位置することが好ましい。ここで、複数の検出用配線８のうち導電層９に最も遠い側に位置する検出用配線８と、導電層９との間には、第１遮光層６を介してインピーダンスが生じやすい。本実施形態のように、開口部６ａが領域Ｇ２に位置していると、検出用配線８と導電層９との間にインピーダンスが生じる可能性をより低減することができる。なお、本明細書において、領域Ｇ２とは、平面視して導電層９のうち検出用配線８から最も遠い側に位置する外縁と、導電層９に最も近い側に位置する検出用配線８のうち導電層９から最も遠い側に位置する外縁との間の領域を指す。このため、開口部６ａは、平面視して導電層９と重なっていてもよい。また、開口部６ａは、平面視して導電層９に最も近い側に位置する検出用配線８と重なっていてもよい。
【００３７】
また、本実施形態のように、導電層９と当該導電層９に最も近い側に位置する検出用配線８との離間距離Ｄ１は、互いに隣り合う検出用配線８同士の離間距離Ｄ２よりも大きいことが好ましい。ここで、離間距離Ｄ１が相対的に小さいと、第１遮光層６を介して導電層９と当該導電層９に最も近い側に位置する検出用配線８との間にインピーダンスが生じやすくなる。本実施形態のように、離間距離Ｄ１が離間距離Ｄ２よりも大きいと、検出用配線８と導電層９との間にインピーダンスが生じる可能性をより低減することができる。なお、本明細書において、離間距離Ｄ１とは、平面視における導電層９と当該導電層９に最も近い側に位置する検出用配線８との最短距離を指す。また、本明細書において、離間距離Ｄ２とは、平面視における互いに隣り合う検出用配線８同士の最短距離を指す。
【００３８】
また、本実施形態のように、導電層９は、検出用配線８を挟んで第１検出電極パターン３および第２検出電極パターン４の反対側に位置することが好ましい。換言すれば、導電層９は、検出用配線８よりも入力領域Ｅ１から遠い側に位置することが好ましい。このような構成によれば、入力装置Ｘ１が表示装置Ｙ１に組み込まれた場合に（図６参照）、第１筺体１００と入力装置Ｘ１との間を介して当該第１筺体１００内に静電気が飛び込んだ場合に、当該静電気が検出用配線８に侵入する可能性を低減することができる。
【００３９】
また、本実施形態のように、導電層９は、入力領域Ｅ１を取り囲むように位置することが好ましい。導電層９が入力領域Ｅ１を取り囲むように位置していると、当該入力領域Ｅ１に位置する第１検出電極パターン３および第２検出電極パターン４に静電気が侵入する可能性を低減することができる。なお、導電層９は、入力領域Ｅ１を完全に取り囲んでいなくともよい。本実施形態では、導電層９の一端および他端は、互いに離間しており、外部導通領域Ｇ１に位置している。すなわち、入力領域Ｅ１は、導電層９および外部導通領域Ｇ１によって取り囲まれている。このよう場合であっても、導電層９は、入力領域Ｅ１
を取り囲むように位置していることになる。
【００４０】
また、導電層９は、基準電位に設定されることが好ましい。導電層９が基準電位に設定されていると、入力装置Ｘ１の外部から侵入した静電気が、当該導電層９に飛び込みやすくなる。このため、静電気の影響によって入力装置Ｘ１に誤動作が生じる可能性をより低減することができる。本実施形態では、導電層９の一端および他端は、外部導通領域Ｇ１に位置している。このため、導電層９の一端および他端は、例えば、検出用配線８の他端と接続されるフレキシブルプリント配線基板等を介して、基準電位に接続することができる。
【００４１】
第２被覆層１０は、検出用配線８および導電層９を保護する役割を有する。検出用配線８および導電層９を保護する役割としては、例えば、水分の吸湿による腐食から保護する役割が挙げられる。第２被覆層１０は、非入力領域Ｅ２に対応する基体２の第２主面２Ｂ上に設けられている。具体的には、第２被覆層１０は、第１被覆層７上に位置している。また、第２被覆層１０は、検出用配線８および導電層９を被覆している。なお、第２被覆層１０は、検出用配線８を被覆するとともに、導電層９を被覆していなくともよい。第２被覆層１０が導電層９を被覆していない場合、当該導電層９に静電気が飛び込みやすくなる。このため、静電気の影響によって入力装置Ｘ１に誤動作が生じる可能性をより低減することができる。また、第２被覆層１０は、外部導通領域Ｇ１には設けられていない。第２被覆層１０の構成材料および形成方法としては、第１被覆層７と同様のものが挙げられる。
【００４２】
第１保護層１１は、第１検出電極パターン３および第２検出電極パターン４を保護する役割を有する。ここで、第１検出電極パターン３および第２検出電極パターン４を保護する役割としては、例えば、水分の吸湿による腐食から保護する役割、あるいは、静電気の混入による誤動作を防止する役割が挙げられる。第１保護層１１は、入力領域Ｅ１および非入力領域Ｅ２の一部に対応する基体２の第２主面２Ｂ上に設けられている。第１保護層１１は、第１検出電極パターン３および第２検出電極パターン４を被覆している。第１保護層１１の構成材料としては、例えば、透光性を有する無機材料が挙げられる。透光性を有する無機材料としては、例えば、二酸化ケイ素あるいは窒化ケイ素が挙げられる。第１保護層１１を形成する方法としては、例えば、スパッタリング法、イオンプレーティング法、スクリーン印刷法、あるいはインクジェット印刷法が挙げられる。
【００４３】
第２保護層１２は、使用者の指Ｆ１の接触によって基体２の第１主面２Ａを傷付けないように保護する役割を有する。第２保護層１２は、図示しない粘着材を介して、入力領域Ｅ１および非入力領域Ｅ２に対応する基体２の第１主面２Ａ上の全面に亘って設けられている。なお、第２保護層１２は、基体２の第１主面２Ａ上の全面に亘って設けられていなくともよい。すなわち、第２保護層１２は、入力領域Ｅ１に対応する基体２の第１主面２Ａ上にのみ設けられていてもよい。第２保護層１２は、透光性を有する。第２保護層１２の構成材料としては、例えば、ガラスあるいはプラスチック等が挙げられる。
【００４４】
次に、入力装置Ｘ１の検出原理について説明する。
【００４５】
図示しない位置検出ドライバは、例えば、フレキシブルプリント配線基板を介して、検出用配線８に電気的に接続されている。また、位置検出ドライバは、電源装置を備えている。なお、電源装置は、位置検出ドライバと別体であってもよい。電源装置は、検出用配線８を介して、第１検出電極パターン３および第２検出電極パターン４に電圧を供給している。位置検出ドライバは、電源装置が供給する電圧に応じた電流値を常に検出している。ここで、入力領域Ｅ１に対応する基体２の第１主面２Ａに、第２保護層１２を介して導電体である指Ｆ１が近接、接触、または押圧すると、指Ｆ１と第１検出電極パターン３お
よび第２検出電極パターン４との間において静電容量が発生する。指Ｆ１と第１検出電極パターン３および第２検出電極パターン４との間において静電容量が発生すると、位置検出ドライバが検出する電流値が変化する。入力装置Ｘ１は、位置検出ドライバが検出する電流値が所定値に達した第１検出電極パターン３および第２検出電極パターン４の組合せによって、使用者が入力操作を行った入力位置を検出する。このようにして、入力装置Ｘ１は、入力位置を検出することができる。
【００４６】
以上のように、入力装置Ｘ１では、検出精度が低下してしまう可能性を低減することができる。
【００４７】
次に、図６を参照しながら、入力装置Ｘ１を備えた表示装置Ｙ１について説明する。
【００４８】
図６に示すように、本実施形態に係る表示装置Ｙ１は、入力装置Ｘ１、第１筐体１００、表示パネル２００、バックライト３００、および回路基板４００を備えている。
【００４９】
第１筺体１００は、入力装置Ｘ１を支持する役割を有する。また、第１筺体１００は、表示パネル２００、バックライト３００、および回路基板４００を収容する役割を有する。第１筺体１００は、第１支持部１０１を有する。第１支持部１０１は、入力装置Ｘ１を基体２の第２主面２Ｂ側から支持する役割を有する。
【００５０】
第１筐体１００の構成材料としては、例えば、ポリカーボネート等の樹脂、あるいは、ステンレス、アルミニウム等の金属が挙げられる。
【００５１】
表示パネル２００は、画像を表示する役割を有する。表示パネル２００は、上側基板２０１、下側基板２０２、液晶層２０３、および封止部材２０４を有する。
【００５２】
上側基板２０１は、入力装置Ｘ１の基体２の第２主面２Ｂに対向して、配置されている。なお、入力装置Ｘ１は、固定部材を介して上側基板２０１上に設けられていてもよい。固定部材としては、例えば、両面テープ、熱硬化性樹脂、紫外線硬化性樹脂、あるいはねじ等の止め具が挙げられる。下側基板２０２は、上側基板２０１に対向して配置されている。上側基板２０１および下側基板２０２の構成材料としては、例えば、ガラスあるいはプラスチック等の透明樹脂材料が挙げられる。
【００５３】
液晶層２０３は、画像を表示するための表示部材層であり、上側基板２０１と下側基板２０２との間に介在している。具体的には、液晶層２０３は、上側基板２０１、下側基板２０２、および封止部材２０４によって、上側基板２０１と下側基板２０２との間の領域に封止されている。なお、本実施形態に係る表示パネル２００では、表示部材層として液晶層２０３を備えているが、これに限らない。液晶層２０３に変えて、プラズマ発生層あるいは有機ＥＬ層等を備えていてもよい。
【００５４】
バックライト３００は、表示パネル２００の下面全体にわたって、光を入射する役割を有する。バックライト３００は、表示パネル２００の後方に配置されている。バックライト３００は、光源３０１および導光板３０２を備えている。光源３０１は、導光板３０２に向けて光を出射する役割を担う部材であり、ＬＥＤ（Light Emitting Diode）から構成されている。なお、光源３０１はＬＥＤから構成されていなくともよく、例えば、冷陰極蛍光ランプ、ハロゲンランプ、キセノンランプあるいはＥＬ（Electro-Luminescence）から構成されてもよい。導光板３０２は、表示パネル２００の下面全体にわたって、光源３０１からの光を略均一に導くための役割を担う部材である。なお、表示パネル２００の代わりに自発光素子を用いた表示パネルを用いる場合は、バックライト３００はなくともよい。
【００５５】
回路基板４００は、例えば、入力装置Ｘ１の位置検出ドライバ、表示パネル２００およびバックライト３００を制御する制御回路、抵抗器、あるいはコンデンサ等の電子部品を支持する役割を有する。回路基板４００は、バックライト３００の後方に配置されている。回路基板４００上に配置された制御回路は、図示しないフレキシブルプリント配線基板によって、表示パネル２００およびバックライト３００と電気的に接続されている。
【００５６】
このように、表示装置Ｙ１は、入力装置Ｘ１を介して表示パネル２００を透視しながら、入力装置Ｘ１の入力領域Ｅ１を入力操作することによって、各種の情報を入力することができる。
【００５７】
また、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００５８】
以上のように、表示装置Ｙ１では、入力装置Ｘ１を備えているため、検出精度が低下してしまう可能性を低減することができる。
【００５９】
次に、図７を参照しながら、表示装置Ｙ１を備えた携帯端末Ｚ１について説明する。図７は、表示装置Ｙ１を備えた携帯端末Ｚ１の斜視図である。
【００６０】
図７に示すように、本実施形態に係る携帯端末Ｚ１は、スマートフォン端末である。なお、携帯端末Ｚ１は、スマートフォン端末に限らず、例えば、携帯電話、タブレット端末、あるいはＰＤＡ（Personal Digital Assistant）等の電子機器であってもよい。
【００６１】
携帯端末Ｚ１は、表示装置Ｙ１、音声入力部５０１、音声出力部５０２、キー入力部５０３、および第２筐体５０４を備えている。
【００６２】
音声入力部５０１は、使用者の音声等を入力する役割を有し、マイク等により構成されている。音声出力部５０２は、相手方からの音声等を出力する役割を有し、電磁スピーカあるいは圧電スピーカ等により構成されている。キー入力部５０３は、機械的なキーにより構成されている。キー入力部５０３は、表示画面に表示された操作キーであってもよい。第２筐体５０４は、表示装置Ｙ１、音声入力部５０１、音声出力部５０２、およびキー入力部５０３を収容する役割を有する。第２筐体５０４の構成材料としては、第１筐体１００と同様のものが挙げられる。なお、第２筐体５０４と表示装置Ｙ１の第１筐体１００とは、一体であってもよい。
【００６３】
他にも、携帯端末Ｚ１は、必要な機能に応じて、デジタルカメラ機能部、ワンセグ放送用チューナ、赤外線通信機能部等の近距離無線通信部、無線ＬＡＮモジュール、および各種インタフェース等を備える場合もあるが、これらの詳細についての図示および説明は省略する。
【００６４】
以上のように、携帯端末Ｚ１は、表示装置Ｙ１を備えているため、検出精度が低下してしまう可能性を低減することができる。
【００６５】
ここで、表示装置Ｙ１は、上記の携帯端末Ｚ１の代わりに、電子手帳、パーソナルコンピュータ、複写機、ゲーム用の端末装置、テレビ、デジタルカメラ、あるいは産業用途で使用されるプログラマブル表示器等の様々な電子機器に備えられていてもよい。
【００６６】
なお、上述した実施形態は、本発明の実施形態の一具体例を示したものであり、種々の変形が可能である。以下、いくつかの主な変形例を示す。
【００６７】
［変形例１］
図８は、変形例１に係る入力装置Ｘ２の概略構成を示す平面図である。図９は、図８中に示したＩＶ−ＩＶ線断面図である。図１０は、図８中に示した１点鎖線で囲んだ領域Ａ２を拡大した平面図である。なお、図８〜図１０において、図１、図４、および図５と同様の機能を有する構成については、同じ参照符号を付記し、その詳細な説明は省略する。
【００６８】
図８〜１０に示すように、入力装置Ｘ２では、入力装置Ｘ１が備える第１遮光層６の代わりに、第１遮光層２１を備えている。
【００６９】
第１遮光層２１は、第１遮光層６と同様の役割を有する。第１遮光層２１は、非入力領域Ｅ２に対応する基体２の第２主面２Ｂ上に設けられている。また、第１遮光層２１は、開口部２１ａを複数有している。複数の開口部２１ａの一部は、平面視して導電層９と当該導電層９に最も近い側に位置する検出用配線８との間に位置している。また、複数の開口部２１ａの残部は、互いに隣り合う検出用配線８同士の間に位置している。
【００７０】
ここで、互いに隣り合う検出用配線８同士の間においても、第１遮光層２１を介してインピーダンスが生じる可能性がある。変形例１では、平面視して互いに隣り合う検出用配線８同士の間にも開口部２１ａが位置しているため、当該検出用配線８同士の間にインピーダンスが生じる可能性を低減することができる。
【００７１】
なお、変形例１のように、互いに隣り合う検出用配線８同士の間に位置する開口部２１ａの平面視幅Ｄ３は、導電層９と当該導電層９に最も近い側に位置する検出用配線８との間に位置する開口部２１ａの平面視幅Ｄ４よりも、小さい。ここで、検出用配線８は、導電層９よりも入力領域Ｅ１に近い側に位置している。すなわち、互いに隣り合う検出用配線８同士の間に位置する開口部２１ａは、入力装置Ｘ１に代えて入力装置Ｘ２が表示装置Ｙ１に組み込まれた場合に、バックライト３００から入射する光の光量が相対的に大きくなる入力領域Ｅ１近傍に位置することになる。本実施形態では、平面視幅Ｄ３が平面視幅Ｄ４よりも小さいため、当該光が互いに隣り合う検出用配線８同士の間に位置する開口部２１ａを介して使用者に視認されてしまう可能性を低減することができる。
【００７２】
［変形例２］
図１１は、変形例２に係る入力装置Ｘ３の概略構成を示す平面図である。図１２は、図１１中に示したＶ−Ｖ線断面図である。図１３は、図１１中に示した１点鎖線で囲んだ領域Ａ３を拡大した平面図である。なお、図１１〜図１３において、図１、図４、および図５と同様の機能を有する構成については、同じ参照符号を付記し、その詳細な説明は省略する。
【００７３】
図１１〜図１３に示すように、入力装置Ｘ３では、加飾層３１をさらに備えている。
【００７４】
加飾層３１は、非入力領域Ｅ２を加飾する役割を有する。加飾層３１は、非入力領域Ｅ２に対応する基体２の第１主面２Ａ上に設けられている。加飾層３１は、基体２の第２主面２Ｂと第２保護層１２との間に位置している。なお、加飾層３１は、基体２の第２主面２Ｂと第２保護層１２との間に位置していなくともよく、例えば、第２保護層１２に含まれていてもよい。加飾層３１の構成材料としては、第１遮光層６と同様のものが挙げられる。なお、加飾層３１は、第１遮光層と異なる色味を有していてもよい。
【００７５】
ここで、加飾層３１は、平面視して開口部６ａと重なっている。このため、入力装置Ｘ１に代えて入力装置Ｘ３が表示装置Ｙ１に組み込まれた場合に、開口部６ａを介して表示装置Ｙ１の内部が視認されてしまう可能性を低減することができる。
【００７６】
［変形例３］
図１４は、変形例３に係る入力装置Ｘ４の概略構成を示す平面図である。図１５は、図１４中に示したＶＩ−ＶＩ線断面図である。図１６は、図１４中に示した１点鎖線で囲んだ領域Ａ４を拡大した平面図である。なお、図１４〜図１６において、図１、図４、および図５と同様の機能を有する構成については、同じ参照符号を付記し、その詳細な説明は省略する。
【００７７】
図１４〜図１６に示すように、入力装置Ｘ４では、第２遮光層４１をさらに備えている。
【００７８】
第２遮光層４１は、非入力領域Ｅ２に対応する第２被覆層１０上に設けられている。具体的には、第２遮光層４１は、検出用配線８および導電層９上に設けられている。第２遮光層４１の構成材料は、第１遮光層６と同様のものが挙げられる。
【００７９】
ここで、第２遮光層４１は、平面視して開口部６ａと重なっている。このため、入力装置Ｘ１に代えて入力装置Ｘ４が表示装置Ｙ１に組み込まれた場合に、開口部６ａを介して表示装置Ｙ１の内部が視認されてしまう可能性を低減することができる。
【００８０】
なお、変形例３のように、第２遮光層４１と検出用配線８との離間距離Ｄ５は、第１遮光層６と検出用配線８との離間距離Ｄ６よりも大きいことが好ましい。離間距離Ｄ５が離間距離Ｄ６よりも大きいと、第２遮光層４１に含まれる着色材料が導電性を有していたとしても、当該第２遮光層４１を介して検出用配線８と導電層９との間にインピーダンスが生じる可能性を低減することができる。
【００８１】
また、第２遮光層４１は、第１遮光層６と略同一の色味を有することが好ましい。第２遮光層４１が第１遮光層６と略同一の色味を有すると、平面視して第１遮光層６が位置する領域と開口部６ａが位置する領域との境界が視認されてしまう可能性を低減することができる。このため、意匠性が向上する。なお、略同一の色味とは、例えば、マンセル表色系において、色相、明度、彩度の、色相記号が同一であって、色相、明度、彩度の各数値の違いが１以内であると定義することができる。
【００８２】
［変形例４］
なお、本明細書は、上記の実施形態および変形例１〜３について個別具体的に説明したが、これに限らず、上記の実施形態および変形例１〜３に個別に記載された事項を適宜組み合わせた例についても記載されているものである。すなわち、本発明に係る入力装置は、入力装置Ｘ１〜４に限定されるものではなく、上記の実施形態および変形例１〜３に個別に記載された事項を適宜組み合わせた入力装置も含む。
【００８３】
また、本実施形態では、入力装置Ｘ１を備えた表示装置Ｙ１について説明したが、これに限らず、入力装置Ｘ１に代えて、入力装置Ｘ２〜Ｘ４を採用してもよい。また、本実施形態では、入力装置Ｘ１を備えた携帯端末Ｚ１について説明したが、これに限らず、入力装置Ｘ１に代えて、入力装置Ｘ２〜Ｘ４を採用してもよい。
【符号の説明】
【００８４】
Ｘ１〜Ｘ４  入力装置
Ｙ１  表示装置
Ｚ１  携帯端末（電子機器）
２  基体
２Ａ  第１主面２Ａ
２Ｂ  第２主面２Ｂ
３ａ  第１検出電極
４ａ  第２検出電極
６，２１  第１遮光層
６ａ，２１ａ  開口部
８  検出用配線
９  導電層
３１  加飾層
４１  第２遮光層
２００  表示パネル
５０４  第２筐体（筺体）
【図１】
2014191359.tif 000003
【図２】
2014191359.tif 000004
【図３】
2014191359.tif 000005
【図４】
2014191359.tif 000006
【図５】
2014191359.tif 000007
【図６】
2014191359.tif 000008
【図７】
2014191359.tif 000009
【図８】
2014191359.tif 000010
【図９】
2014191359.tif 000011
【図１０】
2014191359.tif 000012
【図１１】
2014191359.tif 000013
【図１２】
2014191359.tif 000014
【図１３】
2014191359.tif 000015
【図１４】
2014191359.tif 000016
【図１５】
2014191359.tif 000017
【図１６】
2014191359.tif 000018